【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
売上金を入金するとともに、売上金額を通帳に印字する売上精算システムであって、
少なくとも入金される日を特定できるカレンダー手段と、
売上金の売場を特定する情報が入力される売場特定情報入力部と、
売上金を識別計数して入金する売上金入金部と、
前記売上金入金部で入金された売上金と前記売場特定情報入力部に入力された情報と入金日とを関連づけて記憶する記憶部と、
通帳に印字処理を行う通帳印字部と、
を備え、更に、
前記通帳印字部が前記通帳に印字処理をおこなう際、前記売場情報特定情報入力部から入力された売場情報に基づいて対応する売場の未記帳分の前記売上金情報を前記記憶部から取得して、所定期間毎に合計した値を前記通帳に印字出力させる制御部と
を有することを特徴とする売上精算システム。
【請求項２】
前記売場特定情報入力部がＰＯＳレジを特定する情報を読取ることを特徴とする請求項１記載の売上精算システム。
【請求項３】
前記制御部が、
前記通帳へ未だ記帳されていない前記期間売上合計金額のみを選択するとともに、所定期間毎の売上金合計である期間売上合計金額を算出して前記通帳印字部に通帳印字させることを特徴とする請求項１又は請求項２に記載の売上精算システム。
【請求項４】
少なくとも入金される日を特定できるカレンダー手段と、
売上金を識別計数して入金する売上金入金部と、
売上金の売場を特定する情報が入力される売場特定情報入力部と、
を備える売上金入金機において、
前記売上金入金部で入金された売上金情報と前記売場特定情報入力部に入力された売場特定情報とを日付け情報と関連づけて記憶する前記売上入金機外部に設けられた記憶部と通信する通信手段と、
通帳印字部が通帳に印字処理をおこなう際に、前記売上金の売場特定情報に対応した前記売場の前記売上金情報を前記通信手段により前記記憶部から取得して、前記通帳に未記帳分の前記売上情報を所定期間毎に合計したものを通帳印字部に印字出力させる制御部と、
を備えたことを特徴とする売上金入金機。
【請求項５】
更に、前記通帳印字部を含んでいることを特徴とする請求項４に記載の売上金入金機。
【請求項６】
売上金を入金して、入金された売上金額を通帳に印字する売上金の精算方法であって、
入金する売上金の売場を取得するステップと、
売上金を計数するステップと、
計数した売上金額を売場情報及び日付け情報と関連づけて記憶するステップと、
通帳を受け付けるステップと、
売場情報から記憶されている未印字の売上情報を読み込むステップと、
前記未印字の売上情報を所定期間毎に合計するステップと、
前記所定期間毎に合計された未印字の売上情報を印字するステップと、を含むことを特徴とする売上金の精算方法。
【請求項７】
少なくとも入金機と通帳印字装置を使用して、売場情報と関連して計数した売上金額を日付情報とともに、印字済又は未印字情報を付して記憶部に記憶しておき、任意の時間に入金された売上金額を通帳に印字する売上金の精算方法であって、
売場情報を取得するステップと、
通帳を受け付けるステップと、
前記取得された売場情報を基に前記記憶部から通帳に未印字且つ所定期間毎の売上合計金額を取得するステップと、
取得済みの未印字且つ所定期間毎の売上合計金額を前記通帳に印字するステップと、
を含むことを特徴とする売上金の精算方法。
【手続補正２】
【補正対象書類名】明細書
【補正対象項目名】発明の名称
【補正方法】変更
【補正の内容】
【発明の名称】売上金入金機、売上精算システム及び売上金の精算方法
【手続補正３】
【補正対象書類名】明細書
【補正対象項目名】０００１
【補正方法】変更
【補正の内容】
【０００１】
本発明は、百貨店やスーパーマーケットなどのように、その直営店以外に他社のテナント店が入店している小売店において、売上を統合して精算して管理するために使用する売上金入金機、売上精算システム及び売上金の精算方法に関する。
【手続補正４】
【補正対象書類名】明細書
【補正対象項目名】００１０
【補正方法】変更
【補正の内容】
【００１０】
このような問題を鑑みて、本発明は、レジ毎に売上金を記憶する記憶部を備えて、一定期間毎の売上金の総計を印字出力ができる売上金入金機、売上金精算システム及び売上金の精算方法を提供することを目的とする。
【手続補正５】
【補正対象書類名】明細書
【補正対象項目名】００１１
【補正方法】変更
【補正の内容】
【００１１】
上記目的を達成するために、本発明の売上精算システムは、売上金を入金するとともに、売上金額を通帳に印字する売上精算システムであって、少なくとも入金される日を特定できるカレンダー手段と、売上金の売場を特定する情報が入力される売場特定情報入力部と、売上金を識別計数して入金する売上金入金部と、前記売上金入金部で入金された売上金と前記売場特定情報入力部に入力された情報と入金日とを関連づけて記憶する記憶部と、通帳に印字処理を行う通帳印字部と、を備え、更に、前記通帳印字部が前記通帳に印字処理をおこなう際、前記売場情報特定情報入力部から入力された売場情報に基づいて対応する売場の未記帳分の前記売上金情報を前記記憶部から取得して、所定期間毎に合計した値を前記通帳に印字出力させる制御部とを有することを特徴とする。
【手続補正６】
【補正対象書類名】明細書
【補正対象項目名】００１２
【補正方法】変更
【補正の内容】
【００１２】
このような売上精算システムにおいて、前記売場特定情報入力部がＰＯＳレジを特定する情報を読取ることを特徴とする。また、前記制御部が、前記通帳へ未だ記帳されていない前記期間売上合計金額のみを選択するとともに、所定期間毎の売上金合計である期間売上合計金額を算出して前記通帳印字部に通帳印字させることを特徴とする。
【手続補正７】
【補正対象書類名】明細書
【補正対象項目名】００１３
【補正方法】変更
【補正の内容】
【００１３】
また、本発明の売上金入金機は、少なくとも入金される日を特定できるカレンダー手段と、売上金を識別計数して入金する売上金入金部と、売上金の売場を特定する情報が入力される売場特定情報入力部と、を備える売上金入金機において、前記売上金入金部で入金された売上金情報と前記売場特定情報入力部に入力された売場特定情報とを日付け情報と関連づけて記憶する前記売上入金機外部に設けられた記憶部と通信する通信手段と、通帳印字部が通帳に印字処理をおこなう際に、前記売上金の売場特定情報に対応した前記売場の前記売上金情報を前記通信手段により前記記憶部から取得して、前記通帳に未記帳分の前記売上情報を所定期間毎に合計したものを通帳印字部に印字出力させる制御部と、を備えたことを特徴とする。
【手続補正８】
【補正対象書類名】明細書
【補正対象項目名】００１４
【補正方法】変更
【補正の内容】
【００１４】
また、更に、前記通帳印字部を含んでいることを特徴とする。
【手続補正９】
【補正対象書類名】明細書
【補正対象項目名】００１５
【補正方法】変更
【補正の内容】
【００１５】
また、本発明の売上金の精算方法は、売上金を入金して、入金された売上金額を通帳に印字する売上金の精算方法であって、入金する売上金の売場を取得するステップと、売上金を計数するステップと、計数した売上金額を売場情報及び日付け情報と関連づけて記憶するステップと、通帳を受け付けるステップと、売場情報から記憶されている未印字の売上情報を読み込むステップと、前記未印字の売上情報を所定期間毎に合計するステップと、前記所定期間毎に合計された未印字の売上情報を印字するステップと、を含むことを特徴とする。
【手続補正１０】
【補正対象書類名】明細書
【補正対象項目名】００１６
【補正方法】変更
【補正の内容】
【００１６】
また、本発明の売上金の精算方法は、少なくとも入金機と通帳印字装置を使用して、売場情報と関連して計数した売上金額を日付情報とともに、印字済又は未印字情報を付して記憶部に記憶しておき、任意の時間に入金された売上金額を通帳に印字する売上金の精算方法であって、売場情報を取得するステップと、通帳を受け付けるステップと、前記取得された売場情報を基に前記記憶部から通帳に未印字且つ所定期間毎の売上合計金額を取得するステップと、取得済みの未印字且つ所定期間毎の売上合計金額を前記通帳に印字するステップと、を含むことを特徴とする。